(57)【要約】  寿命の長い有機ＥＬ装置を製造する。本発明の製造装置１〜３は、有機材料層の形成、封止材料層の形成、基板７ａ、７ｂの貼り合わせ等を行う作業室１１ａ〜１１ｃには加熱装置１２ａ〜１２ｂが取り付けられている。作業を行う前に、予め、加熱装置１２ａ〜１２ｃで作業室１１ａ〜１１ｃの壁を加熱し、内壁面に付着した水等の不純物ガスを取り除き、取り除いた不純物ガスを作業室１１を排気して排出しておく。作業は不純物ガスが排出された雰囲気で行われるため、有機ＥＬ装置に不純物ガスが混入しない。
2008142966.tif 000002
【特許請求の範囲】
【請求項１】
作業室と、
前記作業室の内部に配置された基板の表面に、液体を吐出するインクジェットプリンタとを有し、
前記作業室の内部空間を外部雰囲気と遮断可能に構成された有機ＥＬ装置の製造装置であって、
前記作業室を加熱する加熱装置を有する有機ＥＬ装置の製造装置。
【請求項２】
前記加熱装置は、前記作業室の壁に取り付けられた作業室加熱手段と、
前記作業室内に加熱ガスを供給する加熱ガス供給装置のいずれか一方又は両方を有する請求項１記載の有機ＥＬ装置の製造装置。
【請求項３】
前記加熱ガス供給装置は、前記供給室に接続されたガス供給系を有し、
前記加熱ガスとして乾燥ガスを供給する請求項２記載の有機ＥＬ装置の製造装置。
【請求項４】
搬送室と、
前記搬送室内部に配置された搬送ロボットとを有し、
前記搬送室は前記作業室に気密に接続された請求項１記載の有機ＥＬ装置の製造装置。
【請求項５】
作業室と、
前記作業室内に配置された基板に封止材料を配置する封止材料供給装置とを有し、
前記作業室の内部空間を外部雰囲気から遮断可能に構成された有機ＥＬ装置の製造装置であって、
前記作業室を加熱する加熱装置を有する有機ＥＬ装置の製造装置。
【請求項６】
前記加熱装置は、前記作業室の壁に取り付けられた作業室加熱手段と、
前記作業室内に加熱ガスを供給する加熱ガス供給装置のいずれか一方又は両方を有する請求項５記載の有機ＥＬ装置の製造装置。
【請求項７】
前記加熱ガス供給装置は、前記供給室に接続されたガス供給系を有し、
前記加熱ガスとして乾燥ガスを供給する請求項６記載の有機ＥＬ装置の製造装置。
【請求項８】
搬送室と、
前記搬送室内部に配置された搬送ロボットとを有し、
前記搬送室は前記作業室に気密に接続された請求項５記載の有機ＥＬ装置の製造装置。
【請求項９】
作業室と、貼り合わせ装置とを有し、
前記貼り合わせ装置は、第一の基板を保持する第一の保持手段と、
第二の基板を保持する第二の保持手段と、
前記第一、第二の保持手段を相対的に移動させ、前記第一、第二の基板を貼り合わせる移動手段とを有し、
前記作業室の内部空間を外部雰囲気から遮断可能に構成された有機ＥＬ装置の製造装置であって、
前記作業室を加熱する加熱装置を有する有機ＥＬ装置の製造装置。
【請求項１０】
前記第一、第二の基板の相対的な位置情報を検出する位置合わせ手段を有し、
前記移動手段は前記位置合わせ手段が検出した位置情報に基づき、前記第一、第二の保持手段を水平面内で相対的に移動させる請求項９記載の有機ＥＬ装置の製造装置。
【請求項１１】
前記加熱装置は、前記作業室の壁に取り付けられた作業室加熱手段と、
前記作業室内に加熱ガスを供給する加熱ガス供給装置のいずれか一方又は両方を有する請求項９記載の有機ＥＬ装置の製造装置。
【請求項１２】
前記加熱ガス供給装置は、前記供給室に接続されたガス供給系を有し、
前記加熱ガスとして乾燥ガスを供給する請求項１１記載の有機ＥＬ装置の製造装置。
【請求項１３】
搬送室と、
前記搬送室内部に配置された搬送ロボットとを有し、
前記搬送室は前記作業室に気密に接続された請求項９記載の有機ＥＬ装置の製造装置。
【発明の詳細な説明】
【技術分野】
【０００１】
本発明は有機ＥＬディスプレイ等の有機ＥＬ装置の製造装置に関する。
【背景技術】
【０００２】
有機ＥＬ材料は、水や酸素によって化学的に劣化しやすいため、インクジェットプリンタによる有機ＥＬ材料の塗布工程、吐出装置による封止材料の塗布工程、更には、基板の貼り合わせ工程等の各工程を、外部雰囲気から遮断した作業室内部で行う方法が提案されている。【０００３】
各工程を行う前には、作業室の内部を排気する、及び／又は作業室の内部に乾燥ガスを導入して作業室の内部空間を乾燥ガスで置換して、水や酸素などの不純物ガスを除去する。【０００４】
しかし、作業室内部や、乾燥ガスの導入を行っても、不純物ガスは作業室の内壁面に付着して残るため、完全に除去することはできない。
除去されずに残った不純物ガスは、作業中に蒸発して内部空間に放出され、有機材料層に混入する。
従って、従来の製造装置では、不純物ガスを混入させずに、有機ＥＬ装置を製造することが困難であった。
【特許文献１】特開２００４−１７４６５９号公報
【発明の開示】
【発明が解決しようとする課題】
【０００５】
本発明は上記課題を解決するために成されたものであり、その目的は、不純物ガスを混入させずに、有機ＥＬ装置を製造可能な製造装置を提供することである。
【課題を解決するための手段】
【０００６】
有機ＥＬ装置の寿命を長くするためには、露点−７６℃（水分濃度１ｐｐｍ）以下の雰囲気で作業を行う必要がある。
室温の条件で、作業室内部に残留する水を、作業室内部の排気と乾燥窒素ガスの供給とを同時に行うことで、排出しようとしたところ（作業室内部は大気圧に維持）、６０時間後に露点−７５℃まで達したが、その後は露点が下がらず、３００時間が経過しても露点−７５℃のままであり、露点−７６℃には達しなかった。【０００７】
本発明者等が作業室の外壁にヒーターを巻きつけ、ヒーターで壁を加熱してから、作業室内部の排気と、乾燥窒素ガスの供給を行ったところ、昼８時間の加熱、夜間冷却（及び排気と乾燥ガスの供給）することで、４８時間後に露点−７６．６℃、７２時間後には露点−７７．５℃に到達した。
このように、作業室を加熱しない場合に比べ、作業室を加熱した場合には、短時間で露点を下げることができる。【０００８】
係る知見に基づいて成された本発明は、作業室と、前記作業室の内部に配置された基板の表面に、液体を吐出するインクジェットプリンタとを有し、前記作業室の内部空間を外部雰囲気と遮断可能に構成された有機ＥＬ装置の製造装置であって、前記作業室を加熱する加熱装置を有する有機ＥＬ装置の製造装置である。
本発明は有機ＥＬ装置の製造装置であって、前記加熱装置は、前記作業室の壁に取り付けられた作業室加熱手段と、前記作業室内に加熱ガスを供給する加熱ガス供給装置のいずれか一方又は両方を有する有機ＥＬ装置の製造装置である。
本発明は有機ＥＬ装置の製造装置であって、前記加熱ガス供給装置は、前記供給室に接続されたガス供給系を有し、前記加熱ガスとして乾燥ガスを供給する有機ＥＬ装置の製造装置である。
本発明は有機ＥＬ装置の製造装置であって、搬送室と、前記搬送室内部に配置された搬送ロボットとを有し、前記搬送室は前記作業室に気密に接続された有機ＥＬ装置の製造装置である。
本発明は、作業室と、前記作業室内に配置された基板に封止材料を配置する封止材料供給装置とを有し、前記作業室の内部空間を外部雰囲気から遮断可能に構成された有機ＥＬ装置の製造装置であって、前記作業室を加熱する加熱装置を有する有機ＥＬ装置の製造装置である。
本発明は有機ＥＬ装置の製造装置であって、前記加熱装置は、前記作業室の壁に取り付けられた作業室加熱手段と、前記作業室内に加熱ガスを供給する加熱ガス供給装置のいずれか一方又は両方を有する有機ＥＬ装置の製造装置である。
本発明は有機ＥＬ装置の製造装置であって、前記加熱ガス供給装置は、前記供給室に接続されたガス供給系を有し、前記加熱ガスとして乾燥ガスを供給する有機ＥＬ装置の製造装置である。
本発明は、搬送室と、前記搬送室内部に配置された搬送ロボットとを有し、前記搬送室は前記作業室に気密に接続された有機ＥＬ装置の製造装置である。
本発明は、作業室と、貼り合わせ装置とを有し、前記貼り合わせ装置は、第一の基板を保持する第一の保持手段と、第二の基板を保持する第二の保持手段と、前記第一、第二の保持手段を相対的に移動させ、前記第一、第二の基板を貼り合わせる移動手段とを有し、前記作業室の内部空間を外部雰囲気から遮断可能に構成された有機ＥＬ装置の製造装置であって、前記作業室を加熱する加熱装置を有する有機ＥＬ装置の製造装置である。
本発明は有機ＥＬ装置の製造装置であって、前記第一、第二の基板の相対的な位置情報を検出する位置合わせ手段を有し、前記移動手段は前記位置合わせ手段が検出した位置情報に基づき、前記第一、第二の保持手段を水平面内で相対的に移動させる有機ＥＬ装置の製造装置である。
本発明は有機ＥＬ装置の製造装置であって、前記加熱装置は、前記作業室の壁に取り付けられた作業室加熱手段と、前記作業室内に加熱ガスを供給する加熱ガス供給装置のいずれか一方又は両方を有する有機ＥＬ装置の製造装置である。
本発明は有機ＥＬ装置の製造装置であって、前記加熱ガス供給装置は、前記供給室に接続されたガス供給系を有し、前記加熱ガスとして乾燥ガスを供給する有機ＥＬ装置の製造装置である。
本発明は有機ＥＬ装置の製造装置であって、搬送室と、前記搬送室内部に配置された搬送ロボットとを有し、前記搬送室は前記作業室に気密に接続された有機ＥＬ装置の製造装置である。【０００９】
尚、本発明で、作業室加熱手段を設置する作業室の壁とは、作業室の天井、底面及び側壁を全て含む。作業室加熱手段は作業室の外壁面に設置してもよいし、内壁面に設置してもよい。
更に、作業室加熱手段を作業室の壁に埋設してもよいが、作業室加熱手段のメンテナンスの簡便性を考慮すると、内壁面又は外壁面に取り付けることが望ましい。また、不純物ガスの除去効率を考慮すると、作業室加熱手段を作業室の内壁面に取り付けることが望ましい。
【発明の効果】
【００１０】
本発明によれば、作業室の壁面に付着した不純物ガスは加熱によって除去されるため、作業室に不純物ガスが残留しない。製造工程で不純物ガスが混入しないので、有機ＥＬ装置の寿命が長くなる。
【図面の簡単な説明】
【００１１】
【図１】第一の製造装置を説明する模式的な断面図
【図２】第二の製造装置を説明する模式的な断面図
【図３】第三の製造装置を説明する模式的な断面図
【符号の説明】
【００１２】
１〜３……製造装置（第一〜第三の製造装置）    ７ａ、７ｂ……基板    加熱装置１２ａ〜１２ｃ    １５ａ〜１５ｃ……作業室加熱手段    １６ａ〜１６ｃ……加熱ガス供給装置    １７ａ〜１７ｃ……ガス供給系    ２０……インクジェットプリンタ    ４０……封止材料供給装置    ５０……貼り合わせ装置    ５１……第一の保持手段    ５２……第二の保持手段    ５５……移動手段    ５６……位置合わせ手段
【発明を実施するための最良の形態】
【００１３】
図１〜３の符号１〜３は本発明第一〜第三の有機ＥＬ装置の製造装置をそれぞれ示している。第一〜第三の製造装置１〜３の同じ部材には、同じ符号に添え字ａ〜ｃを付して区別する。【００１４】
第一〜第三の製造装置１〜３はそれぞれ搬送室３１ａ〜３１ｃと、作業室１１ａ〜１１ｃと、カセット室３６ａ〜３６ｃとを有している。
作業室１１ａ〜１１ｃとカセット室３６ａ〜３６ｃは扉８ａ〜８ｃ、９ａ〜９ｃを介して搬送室３１ａ〜３１ｃに接続され、扉８ａ〜８ｃ、９ａ〜９ｃを開けると、内部空間が搬送室３１ａ〜３１ｃの内部空間にそれぞれ接続される。【００１５】
カセット室３６ａ〜３６ｃには不図示の搬出入口が設けられており、搬出入口を開けると、基板が収容されたカセットを搬出入可能になっており、搬出入口を閉めると、カセット室３６ａ〜３６ｃの内部空間が外部から遮断される。【００１６】
搬送室３１ａ〜３１ｃの内部には基板を搬送する搬送ロボット３５ａ〜３５ｃが配置されており、扉８ａ〜８ｃ、９ａ〜９ｃを開けると、搬送ロボット３５ａ〜３５ｃによって、作業室１１ａ〜１１ｃとカセット室３６ａ〜３６ｃとの間で基板を搬送可能に構成されている。従って、基板は外部雰囲気に曝されずに、搬送室３１ａ〜３１ｃを通って作業室１１ａ〜１１ｃとカセット室３６ａ〜３６ｃとの間で搬送される。【００１７】
作業室１１ａ〜１１ｃには加熱装置１２ａ〜１２ｃが取り付けられ、作業室１１ａ〜１１ｃは加熱装置１２ａ〜１２ｃにより加熱される。
加熱装置１２ａ〜１２ｃは、作業室１１ａ〜１１ｃの壁を加熱する作業室加熱手段１５ａ〜１５ｃと、作業室１１ａ〜１１ｃの内部に加熱ガスを供給する加熱ガス供給装置１６ａ〜１６ｃのいずれか一方又は両方を有する。
作業室加熱手段１５ａ〜１５ｃは、作業室１１ａ〜１１ｃ壁に密着して取り付けられている。
ここでは、作業室加熱手段１５ａ〜１５ｃは作業室１１ａ〜１１ｃの内側で、作業室１１ａ〜１１ｃの側壁と天井に取り付けられているが、作業室加熱手段１５ａ〜１５ｃの取り付け場所は特に限定されない。
作業室加熱手段１５ａ〜１５ｃは作業室１１ａ〜１１ｃの天井、底壁、側壁のうち１箇所以上に設けられていればよい。また、作業室加熱手段１５ａ〜１５ｃは作業室１１ａ〜１１ｃの内側（内壁面）と外側（外壁面）のいずれか、又は両方に設けることもできる。【００１８】
作業室加熱手段１５ａ〜１５ｃは、ヒーター（例えばシースヒーター）又は、温水循環パイプを有しており、ヒーターに通電するか、温水循環パイプ内に温水を通すと、作業室１１ａ〜１１ｃの壁の作業室加熱手段１５ａ〜１５ｃが取り付けられた部分が加熱される。【００１９】
作業室１１ａ〜１１ｃの壁は金属のような熱伝導物質（例えばステンレス）で構成されている。作業室１１ａ〜１１ｃの作業室加熱手段１５ａ〜１５ｃが取り付けられた部分が加熱されると、作業室１１ａ〜１１ｃの壁全体が熱伝導で昇温する。
作業室１１ａ〜１１ｃの壁が昇温すると、作業室１１ａ〜１１ｃの内壁面に付着した水や酸素がガス（蒸気を含む）となって作業室１１ａ〜１１ｃの内部空間に放出される。作業室１１ａ〜１１ｃには排気系１９ａ〜１９ｃが接続されており、作業室１１ａ〜１１ｃ内部空間からガスを排出可能になっている。【００２０】
加熱ガス供給装置１６ａ〜１６ｃは、ガス供給系１７ａ〜１７ｃと、ガス加熱手段１４ａ〜１４ｃとを有している。
ガス供給系１７ａ〜１７ｃは、乾燥ガス（例えば乾燥窒素）が配置されたタンク４１ａ〜４１ｃと、一端がタンク４１ａ〜４１ｃに接続され、他端が作業室１１ａ〜１１ｃ内に気密に挿通された配管４２ａ〜４２ｃとを有している。
ガス加熱手段１４ａ〜１４ｃは、タンク４１ａ〜４１ｃと配管４２ａ〜４２ｃのいずれか一方又は両方に取り付けられている。
ガス加熱手段１４ａ〜１４ｃは、例えばヒーターであって、ガス加熱手段１４ａ〜１４ｃに通電すると、タンク４１ａ〜４１ｃに配置された乾燥ガスは、タンク４１ａ〜４１ｃから作業室１１ａ〜１１ｃ内へ移動する間に加熱される。従って、作業室１１ａ〜１１ｃの内部には加熱された乾燥ガス（加熱ガス）が供給される。
作業室１１ａ〜１１ｃの内壁面は、加熱された乾燥ガスに接触して加熱され、作業室１１ａ〜１１ｃの内壁面に付着した水や酸素がガスとなって放出される。  放出されたガスは、加熱された乾燥ガスによって押し流されるから、排気系１９ａ〜１９ｃにより作業室１１ａ〜１１ｃの外部に効率よく排出される。
作業室加熱手段１５ａ〜１５ｃと、加熱ガス供給装置１６ａ〜１６ｃはいずれか一方だけを用いてもよいが、作業室１１ａ〜１１ｃの内壁面に付着した水や酸素の排出効率が高い。【００２１】
尚、ここでは、配管４２ａ〜４２ｃのうち、タンク４１ａ〜４１ｃと作業室１１ａ〜１１ｃとの間の部分にインラインフィルタ１８ａ〜１８ｃが設けられ、タンク４１ａ〜４１ｃに微粒子や不純物ガスが混入してたとしても、インラインフィルタ１８ａ〜１８ｃで除去される。【００２２】
次に、第一例〜第三の製造装置１〜３を用いて有機ＥＬ装置を製造する工程について説明する。
有機ＥＬ装置の製造を開始する前に、第一例〜第三の製造装置１〜３の作業室１１ａ〜１１ｃを外部雰囲気から遮断し、作業室１１ａ〜１１ｃの壁を加熱して、水や酸素を放出させる。【００２３】
作業室１１ａ〜１１ｃの壁を加熱しながら、加熱ガス供給装置１６ａ〜１６ｃから加熱された乾燥ガスを供給し、同時に、排気系１９ａ〜１９ｃによる排気を行い、作業室１１ａ〜１１ｃの内部のガスを置換する。
この時、作業室１１ａ〜１１ｃの内部圧力が、大気圧よりも僅かに陽圧になるよう、排気系１９ａ〜１９ｃの排気速度と、乾燥ガスの供給量を設定すれば、外部からの水分・酸素の混入が防止される。
しかし、作業室１１ａ〜１１ｃ内で有毒物質を取り扱う場合は、作業室１１ａ〜１１ｃの内部圧力が、大気圧よりも僅かに負圧になるよう、排気系１９ａ〜１９ｃの排気速度と、乾燥ガスの供給量を設定すれば、作業室１１ａ〜１１ｃから外部への有毒物質の漏洩が防止される。【００２４】
いずれにしても、作業室１１ａ〜１１ｃ内部を大気圧付近の圧力に保っておく事で、作業室１１ａ〜１１ｃ内のガス（加熱された乾燥ガス）による熱伝導で作業室１１ａ〜１１ｃ内部の隅々まで暖めて、水分等の不純物の離脱を促進することができ、作業室１１ａ〜１１ｃ内部の雰囲気を素早く枯らすことができる。【００２５】
尚、作業室１１ａ〜１１ｃ内部が真空になるよう排気すると、作業室加熱手段１５ａ〜１５ｃからの熱放射でしか暖まらないため、陰になる部分が暖まらず、それらの部分から不純物が離脱せず、作業室１１ａ〜１１ｃの内部を枯らすことができない。【００２６】
作業室１１ａ〜１１ｃの壁を加熱する加熱時間はどれだけでも良いが、１サイクルの加熱は８時間以上であることが望ましい。加熱時間が少ないと、作業室１１ａ〜１１ｃ内の隅々まで暖めることができず、不純物を十分に離脱させることができない。【００２７】
作業室１１ａ〜１１ｃを十分に加熱した後、作業室加熱手段１５ａ〜１５ｃと、ガス加熱手段１４ａ〜１４ｃを停止させ、作業室１１ａ〜１１ｃの壁の加熱と、乾燥ガスの加熱を終了する。
乾燥ガスを加熱せずに作業室１１ａ〜１１ｃに供給しながら、作業室１１ａ〜１１ｃの排気を続けて、作業室１１ａ〜１１ｃの壁の温度が下げることで、作業室１１ａ〜１１ｃ内部の雰囲気を枯らすことができる（ガス置換工程）。【００２８】
作業室１１ａ〜１１ｃ内部の雰囲気が露点−７６℃（水分濃度１ｐｐｍ）、或いは作業者の望むレベルまで到達しない場合は、加熱工程とガス置換工程とを２回以上繰り返して雰囲気を枯らす。【００２９】
表面に電極やトランジスタ等が形成された基板をカセットに収容し、該カセットを第一の製造装置１のカセット室３６ａの内部に配置する。
第一の製造装置１の作業室１１ａ内部には、ステージ２１と、インクジェットプリンタ２０とが配置されている。
インクジェットプリンタ２０は印刷ヘッド２５を有しており、印刷ヘッド２５は保持手段２６によって、ステージ２１の上方でステージ２１から離間して配置されている。【００３０】
作業室１１ａ内を排気しながら、乾燥ガスを加熱せずに供給し、乾燥した作業雰囲気を維持する。該作業雰囲気を維持しながら、基板をカセット室３６ａから作業室１１ａ内部に搬入し、該基板をステージ２１上に配置し、扉９ａを閉めて作業室１１ａの内部空間を搬送室３１ａから遮断する。【００３１】
図１はステージ２１上に基板７ａが配置された状態を示している。
印刷ヘッド２５は有機材料供給系２８に接続されており、有機材料供給系２８から、有機材料（発光材料、電荷輸送材料、電子輸送材料、色素等）を含む原料液を印刷ヘッド２５に供給する。【００３２】
印刷ヘッド２５とステージ２１のいずれか一方又は両方は不図示の移動手段に取り付けられている。
印刷ヘッド２５とステージ２１のいずれか一方又は両方を移動させ、ステージ２１上の基板７ａと、印刷ヘッド２５とを相対的に移動させる。印刷ヘッド２５のノズル孔が、基板７ａ表面の所定位置上に位置したところでノズル孔から原料液を吐出し、基板７ａ表面に着弾させて、有機材料層を形成する。
有機材料層が形成される間、作業室１１ａ〜１１ｃの内部に、上述した作業雰囲気を維持しておけば、有機材料層には、水分や酸素等が混入せず、膜室が劣化しない。【００３３】
移動と吐出とを繰り返し、基板７ａの所定位置に有機材料層を形成し終わってから、基板７ａを作業室１１ａからカセット室３６ａに戻して、カセットに収容し、新たな基板７ａをカセット室３６ａから作業室１１ａに搬入して基板７ａを交換する。【００３４】
有機材料層の形成と、基板７ａの交換とを繰り返し、所定枚数の基板７ａに有機材料層を形成した後、カセット室３６ａからカセットを取り出す。
そのカセットを、直接第一の製造装置１から第二の製造装置２のカセット室３６ｂに搬入する。又は、第一の製造装置１から他の装置へ搬入して各基板７ａに処理を行ってから、第二の製造装置２のカセット室３６ｂへ搬入する。カセットをカセット室３６ｂに搬入後は、該カセット室３６ｂを外部雰囲気から遮断する。【００３５】
第二の製造装置２の作業室１１ｂ内部には、ステージ３８と、封止材料供給装置４０とが配置されている。
作業室１１ｂを排気しながら、乾燥ガスを加熱せずに供給し、乾燥した作業雰囲気を形成する。該作業雰囲気を維持したまま、有機材料層が形成された基板７ａをカセット室３６ｂから作業室１１ｂに搬入し、ステージ３８上に配置する。【００３６】
封止材料は、ペースト状や固体状である。ここでは、封止材料はペースト状であって、封止材料供給装置４０はディスペンサー４５を有しており、ディスペンサー４５は封止材料供給系４１に接続され、ペースト状の封止材料が供給される。【００３７】
ディスペンサー４５と、ステージ３８のいずれか一方又は両方は不図示の移動手段に接続されている。
ディスペンサー４５とステージ３８のいずれか一方又は両方を移動させ、ステージ３８上の基板７ａと、ディスペンサー４５とを相対的に移動させながら、ディスペンサー４５のノズル孔から封止材料を押し出して基板７ａ表面に塗布し、基板７ａ表面の各有機材料層が形成された領域（発光領域）を取り囲むように、リング状の封止材料層を形成する。
封止材料層を形成する間、上述した作業雰囲気を維持しておけば、基板７ａ表面に形成された有機材料層が劣化しない。【００３８】
尚、封止材料が固体の場合（例えば棒状）、封止材料供給装置４０は、発光領域よりも外側で、発光領域の縁に沿って基板７ａ表面に封止材料を配置し、発光領域を取り囲む封止材料層を形成する。【００３９】
封止材料層が形成された状態の基板７ａを新たな基板７ａと交換し、封止材料層の形成と、基板７ａの交換とを繰り返し、所定枚数の基板７ａに封止材料層が形成されたところでカセットを取り出す。【００４０】
第三の製造装置３のカセット室３６ｃの内部に、封止材料層が形成された基板７ａが収容されたカセットと、貼り合わせ対象の基板が収容されたカセットとを配置してから、カセット室３６ｃを外部雰囲気から遮断する。
作業室１１ｃ内を排気しながら、乾燥ガスを加熱せずに供給し、乾燥した作業雰囲気を形成する。該作業雰囲気を維持したまま、封止材料層が形成された基板７ａと、貼り合わせ対象の基板とをカセット室３６ｃから作業室１１ｃ内部に搬入する。【００４１】
第三の製造装置３の作業室１１ｃ内部には貼り合わせ装置５０が配置されており、貼り合わせ装置５０は、第一、第二の保持手段５１、５２と、位置合わせ手段５６と、移動手段５５とを有している。
封止材料層が形成された基板７ａと、貼り合わせ対象の基板とを、封止材料層が形成された側の面と、貼り合わせられる側の面が対向するように向けた状態で、第一、第二の保持手段５１、５２に保持させる。【００４２】
図３は基板７ａ、７ｂが第一、第二の保持手段５１、５２に保持された状態を示している。
この状態の基板７ａ、７ｂの向きや配置は特に限定されないが、封止材料層と基板７ａとの接着性が低い場合には、封止材料層が配置された側の面を上側に向けて基板７ａを略水平配置し、その基板７ａ上に、貼り合わせ対象の基板７ｂを、貼り合わされる側の面を下側に向けて配置する。【００４３】
位置あわせ手段５６は、例えばＣＣＤカメラ等であって、第一、第二の保持手段５１、５２に保持された基板７ａ、７ｂを観察し、その位置情報を検出する。
移動手段５５と、位置合わせ手段５６は制御装置５９に接続されており、位置あわせ手段５６が検出した位置情報は制御装置５９に伝達される。【００４４】
移動手段５５は、第一、第二の保持手段５１、５２のいずれか一方又は両方を、水平面内で移動及び回転可能に構成されている。第一、第二の保持手段５１、５２に保持された基板７ａ、７ｂは第一、第二の保持手段５１、５２と一緒に移動するから、基板７ａ、７ｂは水平面内で相対的に移動又は回転する。【００４５】
制御装置５９は伝達された位置情報に基づき、移動手段５５を動作させ、基板７ａ、７ｂを水平面内で回転及び／又は移動させ、基板７ａ、７ｂを位置合わせする。
移動手段５５は、水平方向の移動と回転に加え、第一、第二の保持手段５１、５２のいずれか一方又は両方を上下方向にも相対的に移動可能に構成されている。【００４６】
制御装置５９は、基板７ａ、７ｂを位置合わせした状態で、第一、第二の保持手段５１、５２を上下に相対的に移動させて基板７ａ、７ｂを近づけ、封止材料層を貼り合わせ対象の基板７ｂに密着させ、基板７ａ、７ｂを封止材料層を挟んで貼り合わせる。【００４７】
第三の製造装置３の作業室１１ｃ内部には、不図示の硬化手段が配置されている。
硬化手段は、封止材料層が紫外線硬化型樹脂を含有する場合は封止材料層に紫外線を照射し、熱硬化性樹脂を含有する場合は封止材料層を加熱し、封止材料層中の樹脂を重合させて硬化させる。【００４８】
また、封止材料層がガラスや熱可塑性樹脂等の溶融材料を含有する場合、硬化手段は、封止材料層を加熱溶融させ、基板７ａ、７ｂとの密着性を高めた後、封止材料層を冷却（自然冷却を含む）して固化させる。【００４９】
従って、基板７ａ、７ｂは硬化又は固化した封止材料層によって互いに固定される。
基板７ａ、７ｂが固定された状態の有機ＥＬ装置を、作業室１１ｃからカセット室３６ｃへ搬出し、新たな基板７ａ、７ｂを作業室１１ｃに搬入する。【００５０】
基板７ａ、７ｂを貼り合わせて固定する工程と、有機ＥＬ装置の搬出と、新たな基板７ａ、７ｂの搬入とを繰り返し、所定枚数の基板７ａ、７ｂを貼り合わせて有機ＥＬ装置を作成した後、カセット室３６ｃからカセットを取り出せば、有機ＥＬ装置が外部に取り出される。
基板７ａ、７ｂを貼りあわせて固定する工程と、有機ＥＬ装置の搬出と、新たな基板７ａ、７ｂの搬入等の全ての工程で、上述した作業雰囲気を維持しておけば、基板７ａに形成された有機材料層が劣化しない。【００５１】
上述したように、封止材料層は有機材料層が形成された発光領域を取り囲むリング状に形成されているから、有機材料層は基板７ａ、７ｂと、硬化又は固化された封止材料層で取り囲まれている。従って、有機材料層は外部雰囲気から遮断され、水分や酸素が進入しない。【００５２】
しかも、上述したように、有機材料層を形成する工程と、封止材料層を形成する工程と、基板７ａ、７ｂを貼り合せて固定する工程は、予め水等の不純物ガスが取り除かれた作業室１１ａ〜１１ｃ内部で行われるため、製造工程で有機材料層に不純物ガスが混入しない。【００５３】
従って、不純物ガスによる有機材料層の劣化が起こらず、有機ＥＬ装置の寿命が長くなる。
有機ＥＬ装置の製造を続けると、例えば、印刷ヘッド２５やディスペンサー４５の洗浄や交換、有機材料供給系２８への原料液の充填等、作業室１１ａ〜１１ｃ内部のメンテナンスが必要となる。作業室１１ａ〜１１ｃ内部のメンテナンスを行う際には、基板７ａ、７ｂを搬出して、一旦有機ＥＬ装置の製造を停止する。【００５４】
メンテナンス作業を行う際には、通常、作業室１１ａ〜１１ｃの内部空間を外部雰囲気に接続するため、作業室１１ａ〜１１ｃの内部に大気が入り込み、大気中の水や酸素等の不純物が作業室１１ａ〜１１ｃの内壁面に付着する。【００５５】
メンテナンス終了後、少なくとも基板７ａ、７ｂを作業室１１ａ〜１１ｃに搬入する前に、上述したように、作業室１１内部の雰囲気が露点−７６℃（水分濃度１ｐｐｍ）、或いは作業者の望むレベルまで到達するまで、作業室１１ａ〜１１ｃを加熱しながらガスを置換して、作業雰囲気を形成する。【００５６】
尚、メンテナンス終了から、作業室１１ａ〜１１ｃの壁の加熱を開始するまでの間、或いは作業室１１ａ〜１１ｃの壁の加熱を開始してから所定時間、乾燥ガスを供給せずに作業室１１ａ〜１１ｃ内部を排気してもよい。
この場合、最初の１回のガス置換で作業室１１ａ〜１１ｃ内部に入り込んだ大気の大部分を置換することができ、効率が良い。しかし、その後は、上述したように、作業室１１ａ〜１１ｃの壁を加熱しながら、排気と、乾燥ガスの供給を行い、作業室１１ａ〜１１ｃ内部のガスを乾燥ガスに置換することが望ましい。
作業室１１ａ〜１１ｃの壁を作業室加熱手段１５ａ〜１５ｃで加熱しながら、乾燥ガスを加熱せずに供給してもよい。更に、作業室加熱手段１５ａ〜１５ｃで加熱せずに、加熱した乾燥ガスを供給することで、作業室１１を加熱してもよい。
いずれの場合も、作業室１１ａ〜１１ｃ加熱終了後、作業室１１ａ〜１１ｃを排気しながら、乾燥ガスを加熱せずに供給し、作業雰囲気を形成する。
該作業雰囲気が形成されてから、基板７ａ、７ｂを搬入して、有機材料層の形成、封止材料層の形成、及び、基板７ａ、７ｂの貼り合わせを再開する。【００５７】
尚、印刷ヘッド２５と有機材料供給系２８、及びディスペンサー４５と封止材料供給系４１の間にはバルブ２９、４９がそれぞれ設けられている。
作業室１１ａ〜１１ｃを大気圧よりも低い減圧雰囲気（真空雰囲気を含む）になるよう排気する場合は、バルブ２９、４９を閉じておき、乾燥ガスを供給して、作業室１１ａ〜１１ｃの内部空間が所定圧力以上に上昇してから、バルブ２９、４９を空け、印刷ヘッド２５やディスペンサー４５に、原料液や封止材料を供給すれば、排気中に原料液や封止材料が作業室１１ａ〜１１ｃの内部空間に噴出されない。【００５８】
乾燥ガスは乾燥窒素ガスに限定されず、有機材料を化学的に劣化しないガスであればＡｒガス等種々のガスを用いることができる。例えば、酸素の存在が問題にならない場合には、酸素を含む乾燥ガス（例えば乾燥空気）を用いることもできる。これらの乾燥ガスは１種だけを作業室１１ａ〜１１ｃに供給してもよいし、２種以上を作業室１１ａ〜１１ｃに供給してもよい。
また、作業室１１ａ〜１１ｃを加熱する際に供給する加熱ガスと、加熱終了後、作業雰囲気を形成する際に供給する作業用ガスとで、乾燥ガスの種類を変えてもよいし、同じにしてもよい。
作業室１１ａ〜１１ｃの壁は熱伝導性の高い物質で構成することが望ましいが、少なくとも一部に、ガラス等の透明板をはめ込んで、のぞき窓を作ってもよい。【００５９】
作業室１１ａ〜１１ｃの加熱は、壁温度が６０℃以上８０℃以下になるよう加熱することが望ましい。６０℃未満では水分除去が十分に行われず、８０℃を超えると安全性に問題が生じる。【００６０】
作業室１１ａ〜１１ｃの加熱は、基板７ａ、７ｂを作業室１１ａ〜１１ｃに搬入する前だけでなく、基板を作業室１１ａ〜１１ｃに配置した状態で行ってもよい。しかし、基板７ａ、７ｂに有機ＥＬ層等耐熱性の低い膜が形成されている場合には、基板７ａ、７ｂを搬入する前に加熱を終了させ、作業室１１ａ〜１１ｃの内部温度を所定温度（例えば有機ＥＬ層を構成する有機材料が分解されない温度）以下まで低下させておく必要がある。
更に、第一〜第三の製造装置１〜３を不図示の搬送室に接続して、該搬送室を介して、基板７ａ、７ｂを大気に曝さずに、第一〜第三の製造装置１〜３間で搬送可能にしてもよい。【００６１】
以上は、有機材料層を形成してから、基板７ａに封止材料層を形成する場合について説明したが、本発明はこれに限定されるものではなく、第二の製造装置２で封止材料層を形成してから、第一の製造装置１で有機材料層を形成してもよい。【００６２】
また、有機材料層を形成する基板７ａに封止材料層を設けず、貼り合わせ対象の基板７ｂに封止材料層を配置して、基板７ａ、７ｂ同士を貼り合わせてもよいし、有機材料層を形成する基板７ａと、貼り合わせ対象の基板７ｂの両方に封止材料層を配置してから、基板７ａ、７ｂ同士を貼り合わせてよい。
基板７ａ、７ｂの材質も特に限定されず、ガラス基板、プラスチック基板、セラミック基板等を用いることができる。【００６３】
作業室１１ａ〜１１ｃ内部で基板７ａ〜７ｃを処理するときの圧力は特に限定されないが、有機材料層を形成する際には、印刷ヘッド２５のノズルのメニスカスが乱れないように、大気圧にすることが望ましく、基板７ａ、７ｃを貼り合わせる際には、大気圧よりも低い圧力の作業雰囲気で行うことが望ましい。【００６４】
以上は、有機材料層の形成と、封止材料層の形成と、基板７ａ、７ｂの貼り合わせ及び固定を、別々の作業室１１ａ〜１１ｃ内部で行う場合について説明したが、本発明はこれに限定されるものではない。【００６５】
インクジェットプリンタ２０と、封止材料供給装置４０と、貼り合わせ装置５０のうち、少なくとも２つ以上の装置を同じ作業室内部に配置し、有機材料層の形成と、封止材料層の形成と、基板７ａ、７ｂの貼り合わせ及び固定のうち、２つ以上の工程を同じ作業室内部で行ってもよい。【００６６】
特に、封止材料供給装置４０と貼り合わせ装置５０のように、連続して行う工程に用いる装置を同じ作業室内部に配置すれば、基板７ａ、７ｂの搬出入に要する時間が短縮されるだけでなく、基板７ａ、７ｂが外部雰囲気に曝される危険性が低くなるためより望ましい。【００６７】
この場合、作業室内部に基板７ａ、７ｂを搬出する搬出ロボットを設け、作業室内部で基板を搬送するようにしてもよい。
更に、作業室１１ａ〜１１ｃの壁を加熱しながら、作業室１１ａ〜１１ｃの内部を連続排気し、乾燥ガスを供給せずに作業室１１ａ〜１１ｂを加熱してもよい。しかし、前述のように、この場合は不純物の除去効率は低下する。【００６８】
また、乾燥ガスを供給するガス供給系と、排気系とを、搬送室３１ａ〜３１ｃと、カセット室３６ａ〜３６ｃのいずれか一方又は両方に接続してもよい。【００６９】
基板７ａ、７ｂを作業室１１ａ〜１１ｃに搬入する前に、搬送室３１ａ〜３１ｃとカセット室３６ａ〜３６ｃの内部を排気しながら乾燥ガスを供給しておけば、基板７ａ、７ｂを作業室１１に搬入する際に、搬送室３１ａ〜３１やカセット室３６ａ〜３６ｃから入り込む不純物ガスの量が少なくなる。
【図１】
2008142966.tif 000003
【図２】
2008142966.tif 000004
【図３】
2008142966.tif 000005
【手続補正書】
【提出日】平成21年10月13日(2009.10.13)
【手続補正１】
【補正対象書類名】明細書
【補正対象項目名】０００８
【補正方法】変更
【補正の内容】
【０００８】
係る知見に基づいて成された本発明は、作業室と、前記作業室の内部に配置された基板の表面に、液体を吐出するインクジェットプリンタとを有し、前記作業室の内部空間を外部雰囲気と遮断可能に構成された有機ＥＬ装置の製造装置であって、前記作業室を使用する前に前記作業室を加熱する加熱装置を有する有機ＥＬ装置の製造装置である。
本発明は有機ＥＬ装置の製造装置であって、前記加熱装置は、前記作業室の壁に取り付けられた作業室加熱手段と、前記作業室内に加熱ガスを供給する加熱ガス供給装置のいずれか一方又は両方を有する有機ＥＬ装置の製造装置である。
本発明は有機ＥＬ装置の製造装置であって、前記加熱ガス供給装置は、前記供給室に接続されたガス供給系を有し、前記加熱ガスとして乾燥ガスを供給する有機ＥＬ装置の製造装置である。
本発明は有機ＥＬ装置の製造装置であって、搬送室と、前記搬送室内部に配置された搬送ロボットとを有し、前記搬送室は前記作業室に気密に接続された有機ＥＬ装置の製造装置である。
本発明は、作業室と、前記作業室内に配置された基板に封止材料を配置する封止材料供給装置とを有し、前記作業室の内部空間を外部雰囲気から遮断可能に構成された有機ＥＬ装置の製造装置であって、前記作業室を使用する前に前記作業室を加熱する加熱装置を有する有機ＥＬ装置の製造装置である。
本発明は有機ＥＬ装置の製造装置であって、前記加熱装置は、前記作業室の壁に取り付けられた作業室加熱手段と、前記作業室内に加熱ガスを供給する加熱ガス供給装置のいずれか一方又は両方を有する有機ＥＬ装置の製造装置である。
本発明は有機ＥＬ装置の製造装置であって、前記加熱ガス供給装置は、前記供給室に接続されたガス供給系を有し、前記加熱ガスとして乾燥ガスを供給する有機ＥＬ装置の製造装置である。
本発明は、搬送室と、前記搬送室内部に配置された搬送ロボットとを有し、前記搬送室は前記作業室に気密に接続された有機ＥＬ装置の製造装置である。
本発明は、作業室と、貼り合わせ装置とを有し、前記貼り合わせ装置は、第一の基板を保持する第一の保持手段と、第二の基板を保持する第二の保持手段と、前記第一、第二の保持手段を相対的に移動させ、前記第一、第二の基板を貼り合わせる移動手段とを有し、前記作業室の内部空間を外部雰囲気から遮断可能に構成された有機ＥＬ装置の製造装置であって、前記作業室を使用する前に前記作業室を加熱する加熱装置を有する有機ＥＬ装置の製造装置である。
本発明は有機ＥＬ装置の製造装置であって、前記第一、第二の基板の相対的な位置情報を検出する位置合わせ手段を有し、前記移動手段は前記位置合わせ手段が検出した位置情報に基づき、前記第一、第二の保持手段を水平面内で相対的に移動させる有機ＥＬ装置の製造装置である。
本発明は有機ＥＬ装置の製造装置であって、前記加熱装置は、前記作業室の壁に取り付けられた作業室加熱手段と、前記作業室内に加熱ガスを供給する加熱ガス供給装置のいずれか一方又は両方を有する有機ＥＬ装置の製造装置である。
本発明は有機ＥＬ装置の製造装置であって、前記加熱ガス供給装置は、前記供給室に接続されたガス供給系を有し、前記加熱ガスとして乾燥ガスを供給する有機ＥＬ装置の製造装置である。
本発明は有機ＥＬ装置の製造装置であって、搬送室と、前記搬送室内部に配置された搬送ロボットとを有し、前記搬送室は前記作業室に気密に接続された有機ＥＬ装置の製造装置である。
【手続補正２】
【補正対象書類名】特許請求の範囲
【補正対象項目名】請求項１
【補正方法】変更
【補正の内容】
【請求項１】
作業室と、
前記作業室の内部に配置された基板の表面に、液体を吐出するインクジェットプリンタとを有し、
前記作業室の内部空間を外部雰囲気と遮断可能に構成された有機ＥＬ装置の製造装置であって、
前記作業室を使用する前に前記作業室を加熱する加熱装置を有する有機ＥＬ装置の製造装置。
【手続補正３】
【補正対象書類名】特許請求の範囲
【補正対象項目名】請求項５
【補正方法】変更
【補正の内容】
【請求項５】
作業室と、
前記作業室内に配置された基板に封止材料を配置する封止材料供給装置とを有し、
前記作業室の内部空間を外部雰囲気から遮断可能に構成された有機ＥＬ装置の製造装置であって、
前記作業室を使用する前に前記作業室を加熱する加熱装置を有する有機ＥＬ装置の製造装置。
【手続補正４】
【補正対象書類名】特許請求の範囲
【補正対象項目名】請求項９
【補正方法】変更
【補正の内容】
【請求項９】
作業室と、貼り合わせ装置とを有し、
前記貼り合わせ装置は、第一の基板を保持する第一の保持手段と、
第二の基板を保持する第二の保持手段と、
前記第一、第二の保持手段を相対的に移動させ、前記第一、第二の基板を貼り合わせる移動手段とを有し、
前記作業室の内部空間を外部雰囲気から遮断可能に構成された有機ＥＬ装置の製造装置であって、
前記作業室を使用する前に前記作業室を加熱する加熱装置を有する有機ＥＬ装置の製造装置。
【国際調査報告】
2008142966.tif 000006
2008142966.tif 000007
2008142966.tif 000008
2008142966.tif 000009